(57)【要約】  本発明は、メッセージ強度に基づく着信音鳴動方法、装置及び移動端末を開示する。前記方法は、メッセージサービスをアクセスした場合、未処理メッセージサービスデータベースにおける当該現在の連絡先に対応する未処理履歴サービス情報を検索し、当該未処理履歴サービス情報に基づいて当該現在のメッセージサービスのメッセージ強度を取得するステップと、前記メッセージ強度及び予め設定されたメッセージ強度と着信音タイプ及び/または着信音音量とのマッピングテーブルに基づいて、現在の着信音タイプ及び/または着信音音量を調整するステップとを含む。本発明により、移動端末は、現在の連絡先の現在のメッセージ強度を算出し、このメッセージ強度に基づいて現在のメッセージサービスの着信音タイプと着信音音量を柔軟に設定して、着信音という観点からより多くの提示情報をユーザに提供して、より良く且つタイムリーな交流を確保することができる。
2015519819.tif 000002
【特許請求の範囲】
【請求項１】
メッセージ強度に基づく着信音鳴動方法であって、
メッセージサービスをアクセスした場合、未処理メッセージサービスデータベースにおける当該現在の連絡先に対応する未処理履歴サービス情報を検索し、当該未処理履歴サービス情報に基づいて当該現在のメッセージサービスのメッセージ強度を取得するステップと、
前記メッセージ強度、及び予め設定されたメッセージ強度と着信音タイプ及び/または着信音量とのマッピングテーブルに基づいて、現在の着信音タイプ及び/または着信音量を調整するステップとを含むことを特徴とする方法。
【請求項２】
前記未処理履歴サービス情報は、メッセージサービスタイプ情報、メッセージサービス到着時間情報、メッセージサービス持続時間情報、及び初期化メッセージ強度情報を含むことを特徴とする
請求項１に記載の方法。
【請求項３】
当該未処理履歴サービス情報に基づいて当該現在のメッセージサービスのメッセージ強度を取得する方法は、
所定の時間内のサービスメッセージ回数、メッセージサービス持続時間、最近３回のメッセージサービスの時間間隔、及び初期化メッセージ強度情報に基づいて、当該現在のメッセージサービスのメッセージ強度を取得することであることを特徴とする
請求項２に記載の方法。
【請求項４】
現在のメッセージサービスの着信音鳴動プロセスにおいて、ユーザが当該現在のメッセージサービスを処理しない場合、前記方法は、
現在のメッセージサービスのメッセージサービスタイプ情報、メッセージサービス到着時間情報、メッセージサービス持続時間情報、及び現在のメッセージ強度情報を用いて、未処理メッセージサービスデータベースを更新するステップをさらに含むことを特徴とする
請求項１に記載の方法。
【請求項５】
現在のメッセージサービスの着信音鳴動プロセスにおいて、ユーザが当該現在のメッセージサービスを処理した場合、前記方法は、
未処理メッセージサービスデータベースにおける当該現在の連絡先に対応する未処理履歴サービス情報を初期化するステップをさらに含むことを特徴とする
請求項４に記載の方法。
【請求項６】
メッセージ強度に基づく着信音鳴動装置であって、
メッセージサービスをアクセスした場合、未処理メッセージサービスデータベースにおける当該現在の連絡先に対応する未処理履歴サービス情報を検索することに用いられる入力モジュールと、
連絡先情報及び連絡先情報に対応する未処理履歴サービス情報が記録されている未処理メッセージサービスデータベースを記憶することに用いられ、さらに予め設定されたメッセージ強度と着信音タイプ及び/または着信音量とのマッピングテーブルを記憶することに用いられるデータベースモジュールと、
検索された当該未処理履歴サービス情報に基づいて、当該現在のメッセージサービスのメッセージ強度を取得することに用いられるメッセージ強度取得モジュールと、
前記メッセージ強度、及びメッセージ強度と着信音タイプ及び/または着信音量とのマッピングテーブルに基づいて、現在の着信音タイプ及び/または着信音量を調整することに用いられる実行モジュールとを備えることを特徴とする装置。
【請求項７】
前記未処理履歴サービス情報は、メッセージサービスタイプ情報、メッセージサービス到着時間情報、メッセージサービス持続時間情報、及び初期化メッセージ強度情報を含むことを特徴とする
請求項６に記載の装置。
【請求項８】
前記メッセージ強度取得モジュールが、当該未処理履歴サービス情報に基づいて当該現在のメッセージサービスのメッセージ強度を取得する方法は、
所定の時間内のサービスメッセージ回数、メッセージサービス持続時間、最近３回のメッセージサービスの時間間隔、及び初期化メッセージ強度情報に基づいて、当該現在のメッセージサービスのメッセージ強度を取得することであることを特徴とする
請求項７に記載の装置。
【請求項９】
実行モジュールが現在のメッセージサービスの着信音鳴動を実行するプロセスにおいて、ユーザが当該現在のメッセージサービスを処理しない場合、前記装置は、
現在のメッセージサービスのメッセージサービスタイプ情報、メッセージサービス到着時間情報、メッセージサービス持続時間情報、及び現在のメッセージ強度情報を用いて、未処理メッセージサービスデータベースを更新することに用いられる更新モジュールをさらに備えることを特徴とする
請求項６に記載の装置。
【請求項１０】
実行モジュールが現在のメッセージサービスの着信音鳴動を実行するプロセスにおいて、ユーザが当該現在のメッセージサービスを処理した場合、前記装置は、
未処理メッセージサービスデータベースにおける当該現在の連絡先に対応する未処理履歴サービス情報を初期化することに用いられる初期化モジュールをさらに備えることを特徴とする
請求項６に記載の装置。
【請求項１１】
請求項６乃至１０のいずれか１項に記載のメッセージ強度に基づく着信音鳴動装置を備えることを特徴とする移動端末。
【発明の詳細な説明】
【技術分野】
【０００１】
本発明は、通信分野に関し、具体的には、メッセージ強度に基づく着信音鳴動方法、装置及び移動端末に関する。
【背景技術】
【０００２】
現在のペースの速い動作と生活様式において、携帯電話などの移動端末は、人々の手に不可欠なツールになっている。人々は、電話、ショートメッセージまたはイーメール（ＥＭＡＩＬ）などで他の人といつでも、どこでも交流し、効果的な通信を行う。
【０００３】
実際の応用過程に、電話、ショートメッセージまたはイーメール（ＥＭＡＩＬ）のこれらの情報が到着した場合、移動端末は、一般的にメッセージ着信音でユーザに通知するが、現在の着信音鳴動モードは、主に以下のいくつかの種類がある。
【０００４】
（１）固定された着信音と音量。
【０００５】
この着信音鳴動モードは、現在の携帯電話で最も使用されているモードである。この着信音鳴動モードは、１種のメッセージサービスに対して１種の着信音と音量を設定し、このようにいかなる場合でも、同じ連絡先の同じタイプのメッセージサービスに対する着信音が変わらず、さらには異なる連絡先の、同じタイプに属するメッセージサービスに対する着信音も同じである。
【０００６】
（２）周囲ノイズに基づいて着信音量を決定する。
【０００７】
これは、上記第一の着信音鳴動モードを改善したものであり、主に周囲ノイズがある場合で、携帯電話の着信音量を適切に調整する。その実現原理は、携帯電話が音量検出モジュールにより現在の環境のノイズを捕らえてその音量を判断し、その後これを基にして着信音の音量を設定することである。このモードにより、着信音の音量を調整することができるが、しかし、いくつかの欠点がある。例えば、このノイズのある環境において対応する連絡先が何度も呼び出すにもかかわらず、相対的に言ってそれに対応する着信音量と着信音の内容が変わらない。
【０００８】
（３）時間帯に基づいて着信音のタイプを分ける。
【０００９】
これも第一の着信音鳴動モードを改善したものであり、その主な目的が一日中異なる場合に出現し、且つ異なる場合によって着信音に対するニーズが異なるという課題を解決することである。このような背景で、一日間の時間帯を分けて、異なる時間帯に異なる着信音を提供する。こにより、異なる時間帯に同じ人からのメッセージサービスに対する着信音が変化する。しかし、このモードによりいくつかの欠点があり、例えば、ある動作時間帯内に、この着信音が変化して異なる動作の場合に適応するが、変化した着信音自身により多くの情報が付けられていない。このため、携帯電話ユーザが関連メッセージサービスをタイムリーに区別して処理することができない。
【００１０】
以上より明らかなように、従来の移動端末のメッセージサービスの着信音は、全く同一であったり、または、ただ周囲ノイズに基づいて着信音の初期音量を設定し、または、固定された時間帯に異なる着信音鳴動モードを用いており、これらの着信音鳴動モードがすべて、連絡先に対応するメッセージ強度に基づいて、着信音量と着信音タイプを柔軟に設定することができない。
【発明の概要】
【発明が解決しようとする課題】
【００１１】
上記事情に鑑みて、本発明の目的は、移動端末が現在の連絡先の現在メッセージ強度を算出し、このメッセージ強度に基づいて、現在のメッセージサービスの着信音タイプと着信音量を柔軟に設定することができ、それにより着信音だけでより多くの提示情報を取得し、より良く且つタイムリーな交流を確実にすることができる、メッセージ強度に基づく着信音鳴動方法、装置及び移動端末を提供することにある。
【課題を解決するための手段】
【００１２】
本発明の目的を達成するために、本発明は、以下の技術的スキームを採用する。
【００１３】
メッセージ強度に基づく着信音鳴動方法は、
メッセージサービスをアクセスした場合、未処理メッセージサービスデータベースにおける当該現在の連絡先に対応する未処理履歴サービス情報を検索し、当該未処理履歴サービス情報に基づいて当該現在のメッセージサービスのメッセージ強度を取得するステップと、
前記メッセージ強度、及び予め設定されたメッセージ強度と着信音タイプ及び/または着信音量とのマッピングテーブルに基づいて、現在の着信音タイプ及び/または着信音量を調整するステップとを含む。
【００１４】
好ましくは、前記未処理履歴サービス情報は、メッセージサービスタイプ情報、メッセージサービス到着時間情報、メッセージサービス持続時間情報、及び初期化メッセージ強度情報を含む。
【００１５】
好ましくは、当該未処理履歴サービス情報に基づいて当該現在のメッセージサービスのメッセージ強度を取得する方法は、所定の時間内のサービスメッセージ回数、メッセージサービス持続時間、最近３回のメッセージサービスの時間間隔及び初期化メッセージ強度情報に基づいて、当該現在のメッセージサービスのメッセージ強度を取得することである。
【００１６】
好ましくは、現在のメッセージサービスについての着信音鳴動プロセスにおいて、ユーザが当該現在のメッセージサービスを処理しない場合、前記方法は、
現在のメッセージサービスのメッセージサービスタイプ情報、メッセージサービス到着時間情報、メッセージサービス持続時間情報及び現在のメッセージ強度情報を用いて、未処理メッセージサービスデータベースを更新するステップをさらに含む。
【００１７】
好ましくは、現在のメッセージサービスについての着信音鳴動プロセスにおいて、ユーザが当該現在のメッセージサービスを処理した場合、
未処理メッセージサービスデータベースにおける当該現在の連絡先に対応する未処理履歴サービス情報を初期化するステップをさらに含む。
【００１８】
メッセージ強度に基づく着信音鳴動装置は、
メッセージサービスをアクセスした場合、未処理メッセージサービスデータベースにおける当該現在の連絡先に対応する未処理履歴サービス情報を検索することに用いられる入力モジュールと、
連絡先情報及び連絡先情報に対応する未処理履歴サービス情報が記録されている未処理メッセージサービスデータベースを記憶することに用いられ、さらに予め設定されたメッセージ強度と着信音タイプ及び/または着信音量とのマッピングテーブルを記憶することに用いられるデータベースモジュールと、
検索された当該未処理履歴サービス情報に基づいて、当該現在のメッセージサービスのメッセージ強度を取得することに用いられるメッセージ強度取得モジュールと、
前記メッセージ強度、及びメッセージ強度と着信音タイプ及び/または着信音量とのマッピングテーブルに基づいて、現在の着信音タイプ及び/または着信音量を調整することに用いられる実行モジュールとを備える。
【００１９】
好ましくは、前記未処理履歴サービス情報は、メッセージサービスタイプ情報、メッセージサービス到着時間情報、メッセージサービス持続時間情報、及び初期化メッセージ強度情報を含む。
【００２０】
好ましくは、前記メッセージ強度取得モジュールが、当該未処理履歴サービス情報に基づいて、当該現在のメッセージサービスのメッセージ強度を取得する方法は、所定の時間内のサービスメッセージ回数、メッセージサービス持続時間、最近３回のメッセージサービスの時間間隔及び初期化メッセージ強度情報に基づいて、当該現在のメッセージサービスのメッセージ強度を取得することである。
【００２１】
好ましくは、実行モジュールが現在のメッセージサービスについての着信音鳴動を実行するプロセスにおいて、ユーザが当該現在のメッセージサービスを処理しない場合、前記装置は、
現在のメッセージサービスのメッセージサービスタイプ情報、メッセージサービス到着時間情報、メッセージサービス持続時間情報及び現在のメッセージ強度情報を用いて未処理メッセージサービスデータベースを更新することに用いられる更新モジュールをさらに備える。
【００２２】
好ましくは、実行モジュールが現在のメッセージサービスについての着信音鳴動を実行するプロセスにおいて、ユーザが当該現在のメッセージサービスを処理した場合、前記装置は、
未処理メッセージサービスデータベースにおける当該現在の連絡先に対応する未処理履歴サービス情報を初期化することに用いられる初期化モジュールをさらに備える。
【００２３】
移動端末は、前記メッセージ強度に基づく着信音鳴動装置を備え、前記装置は、
メッセージサービスをアクセスした場合、未処理メッセージサービスデータベースにおける当該現在の連絡先に対応する未処理履歴サービス情報を検索することに用いられる入力モジュールと、
連絡先情報及び連絡先情報に対応する未処理履歴サービス情報が記録されている未処理メッセージサービスデータベースを記憶することに用いられ、さらに予め設定されたメッセージ強度と、着信音タイプ及び/または着信音量とのマッピングテーブルを記憶することに用いられるデータベースモジュールと、
検索された当該未処理履歴サービス情報に基づいて、当該現在のメッセージサービスのメッセージ強度を取得することに用いられるメッセージ強度取得モジュールと、
前記メッセージ強度、及びメッセージ強度と着信音タイプ及び/または着信音量とのマッピングテーブルに基づいて、現在の着信音タイプ及び/または着信音量を調整することに用いられる実行モジュールとを含む。
【００２４】
本発明の実施形態は、現在の着信音鳴動システムの局限性に対して、メッセージ強度に基づく着信音鳴動方法を提案する。その中、メッセージ強度とは、一定の時間内のメッセージサービスの回数、最近数回のメッセージサービスの間の間隔時間などをまとめて得られたデータである。メッセージ強度が高いほど、対応した連絡先が、できるだけ速くユーザに連絡する意欲が高いことを意味している。
【００２５】
ここでのメッセージサービスは、音声着信、ビデオ着信、ショートメッセージ、マルチメディアメッセージ、イーメール（ＥＭＡＩＬ）などを含む。メッセージ強度の算出に対して、これらを統一的に処理し、すなわち同じ人からのすべてのメッセージサービスをメッセージ強度を毎回算出するためのすべての要素と統一的にみなすことができ、あるいは各メッセージサービスのメッセージ強度を個別に算出することもできる。本発明の実施形態において、各メッセージサービスのメッセージ強度を個別に算出するものであって、説明の便宜上、本発明の実施形態は、電話を例として、そのメッセージ強度をどのように算出し、かつ異なる着信音を合理的に用いるかを説明する。そのほかのメッセージサービスについては、それと類似するので、ここで繰り返して説明しない。
【００２６】
現在のメッセージサービスのメッセージ強度を算出した場合、対応する着信音タイプと着信音量が得られる。その中の着信音タイプがメッセージ強度を大幅に調整するためのものに相当し、着信音量がメッセージ強度を小幅に調整するためのものに相当する。２つの方式を合わせることで、各メッセージ強度を合理的に区別し、ユーザが着信音タイプ及び着信音量だけで現在のメッセージの強度情報を取得することができ、それによってより良くユーザが対応する措置を取って処理することができる。
【図面の簡単な説明】
【００２７】
【図１】本発明の実施形態に係るメッセージ強度に基づく着信音鳴動方法のフローチャートである。
【図２】本発明の実施形態に係るメッセージ強度に基づく着信音鳴動装置の構成を示す図である。
【図３】本発明の実施形態に係る着信音鳴動モードの動作プロセスを示す図である。
【発明を実施するための形態】
【００２８】
本発明の目的の実現、機能特徴及び優れた効果については、以下に具体的な実施形態及び添付図面を参照してさらに説明する。
【００２９】
当業者がより良く本発明を理解して実施することができるように、以下に図面と具体的な実施形態を参照して本発明に記載の技術的スキームをさらに説明するが、挙げられる実施形態は、本発明を限定するためのものではない。
【００３０】
図１に示すように、本発明の実施形態に係るメッセージ強度に基づく着信音鳴動方法は、以下の具体的なステップを含む。
【００３１】
Ｓ１０１、メッセージサービスをアクセスした場合、未処理メッセージサービスデータベースにおける当該現在の連絡先に対応する未処理履歴サービス情報を検索し、当該未処理履歴サービス情報に基づいて当該現在のメッセージサービスのメッセージ強度を取得する。
【００３２】
Ｓ１０２、前記メッセージ強度、及び予め設定されたメッセージ強度と着信音タイプ及び/または着信音量とのマッピングテーブルに基づいて、現在の着信音タイプ及び/または着信音量を調整する。
【００３３】
前記ステップＳ１０１において、前記未処理履歴サービス情報は、メッセージサービスタイプ情報、メッセージサービス到着時間情報、メッセージサービス持続時間情報と初期化メッセージ強度情報を含む。その中、前記初期化メッセージ強度情報は、ユーザ自身が定義した設置によって設定されてもよい。ユーザ自身が設定しない場合、前記初期化メッセージ強度は、最低レベルのメッセージ強度レベル、例えば１に初期化された規定値で設定される。
【００３４】
前記ステップＳ１０１において、当該未処理履歴サービス情報に基づいて、当該現在のメッセージサービスのメッセージ強度を取得する方法は、所定の時間内のサービスメッセージ回数、メッセージサービス持続時間、最近３回のメッセージサービスの時間間隔及び初期化メッセージ強度情報に基づいて、当該現在のメッセージサービスのメッセージ強度を取得することである。所定の時間帯に、相応する連絡先からのあるメッセージサービスがより頻繁であり、かつメッセージサービス持続時間が長ければ、そのメッセージ強度のレベルが高く、この場合にメッセージ強度を算出して、その後の着信音タイプ及び/または着信音量の調整のために根拠を提供する必要がある。
【００３５】
ステップ１０２において、前記メッセージ強度と、着信音タイプ及び/または着信音量とのマッピングテーブルには、異なるメッセージ強度に対応する着信音タイプ及び着信音量が保存され、このテーブルは、すべての連絡先に適用される。
【００３６】
好ましい実施形態において、現在のメッセージサービスについての着信音鳴動プロセスに、ユーザが当該現在のメッセージサービスを処理しない場合、前記方法は、
Ｓ１０３、現在のメッセージサービスのメッセージサービスタイプ情報、メッセージサービス到着時間情報、メッセージサービス持続時間情報、現在メッセージ強度情報を用いて、未処理メッセージサービスデータベースを更新するステップをさらに含む。
【００３７】
このステップにおいて、前記現在のメッセージ強度情報を用いて、未処理メッセージサービスデータベースを更新する方式は、初期設定された初期化メッセージ強度情報を上書きすることであってもよく、それを当該未処理メッセージサービスデータベースに個別に保存することであってもよく、これによって、次回のメッセージサービスをアクセスした時にメッセージ強度の算出根拠を提供すると理解すべきである。本発明の実施形態において、前記メッセージ強度の算出は、ユーザにより初期設定された初期化メッセージ強度に基づいて行われてよく、当該未処理メッセージサービスデータベースへリアルタイムに更新された前回のメッセージ強度に基づいて行われても良いと注意すべきである。
【００３８】
好ましい実施形態において、現在のメッセージサービスについての着信音鳴動プロセスにおいて、ユーザが当該現在のメッセージサービスを処理した場合、前記方法は、
Ｓ１０４、未処理メッセージサービスデータベースにおける当該現在の連絡先に対応する未処理履歴サービス情報を初期化するステップをさらに含む。
【００３９】
このステップにおいて、ユーザがメッセージサービスを処理し、例えばショートメッセージ、マルチメディアメッセージ又はイーメール（ＥＭＡＩＬ）を閲覧し、または電話に応答し又は電話をコールバックする場合、システムにおいて、前記未処理メッセージサービスデータベースに記憶されている未処理履歴サービス情報が、現在の当該相手連絡先に関連するメッセージサービスを判断するための根拠ではなくなるとみなされる。この時に、当該未処理メッセージサービスデータベースを初期化する必要がある。初期化プロセスにおいて、前記初期化メッセージ強度情報を既定値に設定してよく、前記初期化メッセージ強度情報をユーザにより自律的に設定してもよい。
【００４０】
本発明の実施形態において、メッセージ強度をどのように算出するかはより重要な条件である。メッセージ強度の算出は、ユーザ自身により定義されるアルゴリズムを使用して実現されることができる。以下に、既定のメッセージ強度の算出方法を与える。 
まず、移動端末、例えば携帯電話が着信音の音量１〜Ｎをサポートすると、現在多くの携帯電話のＮが１０に等しい。ここで、最も高いメッセージ強度をＭ＊Ｎに設定し、算出されたメッセージ強度がＭ＊Ｎを超えれば、それに対応するメッセージ強度が依然としてＭ＊Ｎであり、その中で、Ｍが着信音のタイプである。
【００４１】
すなわち、同じユーザの呼び出しに対して、最大Ｍ個の着信音をサポートして切り替えることができ、各着信音の音量の１からＮまでの変化をサポートすることができる。
【００４２】
上記の仮定条件を取得した後、以下に電話サービスを例として、今回のメッセージ強度の算出プロセスについて説明する。
【００４３】
１、対応する連絡先の初期メッセージ強度を算出する。
【００４４】
未処理メッセージサービスデータベースに、各連絡先に対するあるメッセージサービスのタイプが２種類あり、それぞれ初期着信音タイプと初期着信音量であり、これらがこのメッセージサービスの初期化メッセージ強度である。この二つのデータの既定値が１であって、このデータが１でなければ、初期データビットとして参照される。具体的には、ある連絡先の初期呼び出し着信音タイプのレベルが２であり、呼び出し着信音量のレベルが２であるとすると、この連絡先が持つ初期化メッセージ強度は（２＊Ｎ＋２）である。
【００４５】
２、リアルタイムメッセージ強度を算出する。
【００４６】
このリアルタイムメッセージ強度は、つまり、データベースに保存されている当該連絡先の呼び出し回数、毎回の呼び出しの持続時間と、最近３回の呼び出しの間の時間間隔の合計によりメッセージ強度が算出されることを意味する。
【００４７】
未処理メッセージサービスデータベースに対応する連絡先の三回の呼び出しが記憶されると仮定し、対応する着信音をすべて鳴らしたマーク時間が２分であり、この三回の呼び出しの持続時間がそれぞれ１分、０．５分と２分であり、最後三回の呼び出しの間の間隔時間がそれぞれ１分と２分であると仮定する。上記のデータを一例として、リアルタイムメッセージ強度を算出する。
【００４８】
ここでデザインされた既定のアルゴリズムは、メッセージ回数が一回増えるたびに、着信音量の強度が１つ増加する。メッセージの平均持続時間が着信音の総時間の半分を超えると、着信音量の強度が２つ増加する。最後三回のメッセージの間の平均間隔時間が５分低いと、対応する着信音タイプの強度が１つ増加する。その結果、このアルゴリズムで算出された現在のリアルタイムメッセージ、つまり、電話サービスの強度が（３＋２＋１＊Ｎ）となる。
【００４９】
３、最後のメッセージ強度を算出する。
【００５０】
初期メッセージ強度とリアルタイムメッセージ強度を加算した結果は、最後のメッセージ強度である。この強度が微調整され得る場合もある。この一例において、今回のメッセージの強度が（２＊Ｎ＋２＋３＋２＋１＊Ｎ＝３＊Ｎ＋７）となる。
【００５１】
ここで、データを微調整する可能性もある。具体的には、後ろの仮数がＮより大きい場合、算出された最後のメッセージ強度が（３＊Ｎ＋Ｎ＋６）とすると、（４＊Ｎ＋６）として処理すべきである。
【００５２】
最後に得られたデータがＭ＊Ｎより大きれば、メッセージ強度をＭ＊Ｎとして処理する。
【００５３】
メッセージ強度が（ａ＊Ｎ＋ｂ）の形態に書かれた場合、ａ番目のタイプの着信音を採用することを意味し、かつ着信音量がｂとする。
【００５４】
また、本発明の実施例に係る未処理メッセージサービスデータベースのデザインに関し、実現形態は複数種類が可能であり、本実施形態に係るデータベースのデザインモードは、以下の通りである。
【００５５】
このデータベースに二つのテーブルが含まれ、１番目のテーブルが履歴サービス情報記録テーブルであり、例えば電話、ショートメッセージ、イーメールなどのメッセージサービスタイプと、メッセージサービス到着時間と、メッセージサービス持続時間と、連絡先の初期メッセージ着信音タイプ及び着信音量とが含まれる各連絡先の関連情報を記録していて、その中で、前記メッセージサービス持続時間が主に電話などのメッセージサービスに対するものである。
【００５６】
別のテーブルは、メッセージ強度と着信音タイプ及び/または着信音量とのマッピングテーブルであり、異なるメッセージ強度に対応する着信音タイプ及び着信音量を保存し、このテーブルは、すべての連絡先にも適用される。
【００５７】
図２に示すように、本発明の実施形態に係るメッセージ強度に基づく着信音鳴動装置は、主に以下のモジュールを備える。
【００５８】
入力モジュール１０は、メッセージサービスをアクセスした場合、未処理メッセージサービスデータベースにおける、当該現在連絡先に対応する未処理履歴サービス情報を検索することに用いられる。
【００５９】
好ましくは、前記未処理履歴サービス情報は、メッセージサービスタイプ情報、メッセージサービス到着時間情報、メッセージサービス持続時間情報、及び初期化メッセージ強度情報を含む。
【００６０】
また、前記入力モジュール１０は、さらにユーザによる初期化メッセージ強度情報の設定、及び他の未処理サービス履歴情報の検索、削除、マーキングなどの入力操作を行うことに用いられる。
【００６１】
データベースモジュール２０は、連絡先情報、及び連絡先情報に対応する未処理履歴サービス情報が記録されている未処理メッセージサービスデータベースを記憶することに用いられ、
さらに予め設定された、メッセージ強度と着信音タイプ及び/または着信音量とのマッピングテーブルを記憶することに用いられる。
【００６２】
メッセージ強度取得モジュール３０は、検索された当該未処理履歴サービス情報に基づいて、当該現在のメッセージサービスのメッセージ強度を取得することに用いられる。
【００６３】
実行モジュール４０は、前記メッセージ強度、及びメッセージ強度と着信音タイプ及び/または着信音量とのマッピングテーブルに基づいて、現在の着信音タイプ及び/または着信音量を調整することに用いられる。
【００６４】
ここで、前記メッセージ強度取得モジュール３０が、当該未処理履歴サービス情報に基づいて当該現在のメッセージサービスのメッセージ強度を取得する方法は、所定の時間内のサービスメッセージ回数、メッセージサービス持続時間、最近３回のメッセージサービスの時間間隔及び初期化メッセージ強度情報に基づいて、当該現在のメッセージサービスのメッセージ強度を取得することである。
【００６５】
好ましい実施プロセスにおいて、実行モジュール４０が現在のメッセージサービスの着信音鳴動を実行するプロセスにおいて、ユーザが当該現在のメッセージサービスを処理した場合、前記装置は、
現在のメッセージサービスのメッセージサービスタイプ情報、メッセージサービス到着時間情報、メッセージサービス持続時間情報、現在のメッセージ強度情報を用いて、未処理メッセージサービスデータベースを更新することに用いられる更新モジュール５０をさらに備える。
【００６６】
好ましい実施形態において、実行モジュール４０が現在のメッセージサービスの着信音鳴動を実行するプロセス中に、ユーザが当該現在のメッセージサービスを処理した場合、前記装置は、
未処理メッセージサービスデータベースにおける当該現在の連絡先に対応する未処理履歴サービス情報を初期化することに用いられる初期化モジュール６０をさらに備える。
【００６７】
これに応じて、本発明の実施形態に係る移動端末は、前記メッセージ強度に基づく着信音鳴動装置を備え、前記装置は、
メッセージサービスをアクセスした場合、未処理メッセージサービスデータベースにおける、当該現在の連絡先に対応する未処理履歴サービス情報を検索することに用いられる入力モジュール１０と、
連絡先情報、及び連絡先情報に対応する未処理履歴サービス情報が記録されている未処理メッセージサービスデータベースを記憶することに用いられ、さらに予め設定されたメッセージ強度と、着信音タイプ及び/または着信音量とのマッピングテーブルを記憶することに用いられるデータベースモジュール２０と、
検索された当該未処理履歴サービス情報に基づいて、当該現在のメッセージサービスのメッセージ強度を取得することに用いられるメッセージ強度取得モジュール３０と、
前記メッセージ強度、及びメッセージ強度と着信音タイプ及び/または着信音量とのマッピングテーブルに基づいて、現在の着信音タイプ及び/または着信音量を調整することに用いられる実行モジュール４０とを備える。
【００６８】
本発明の実施形態に係る移動端末は、メッセージ強度に基づいて着信音鳴動操作を行うことができ、すなわち、この移動端末は、一定の時間内のメッセージサービスの回数、最近の数回のメッセージサービスの間の間隔時間などをまとめて１つのデータ、即ちメッセージ強度を取得することができる。メッセージ強度が高いほど、対応する連絡先ができるだけ速くユーザに連絡する意欲が高いことを意味している。
【００６９】
ここでのメッセージサービスは、音声着信、ビデオ着信、ショートメッセージ、マルチメディアメッセージ、イーメール（ＥＭＡＩＬ）などを含む。メッセージ強度の算出に対して、これらを統一的に処理し、すなわち同じ人からのすべてのメッセージサービスを、毎回メッセージ強度を算出するためのすべての要素として統一的にみなすことができ、各メッセージサービスを個別に算出してメッセージ強度を取得することもできる。
【００７０】
現在のメッセージサービスのメッセージ強度を算出した場合、対応する着信音タイプと着信音量を得る。その中、着信音タイプがメッセージ強度を大幅に（粗く）調整するためのものに相当し、着信音量がメッセージ強度を小幅に（細かく）調整するためのものに相当する。この２つのモードを合わせることにより、各メッセージ強度を合理的に区別し、このようにして、ユーザが着信音タイプと着信音量だけで、現在のメッセージ強度情報を取得することができ、それによってユーザが対応する措置を取ってより望ましい処理をすることができる。
【００７１】
説明の便宜上、以下に様々な異なるタイプのメッセージにそれぞれ対応するメッセージ強度を個別に算出すると仮定する。説明の便宜上、ここでのメッセージタイプは、電話を例として挙げられる。以下にフローチャートを参照して、本発明の実施形態に係る移動端末によるメッセージ強度に基づく着信音鳴動プロセスを説明し、図３に示すように、以下のステップを含む。
【００７２】
３０１、後の算出によりメッセージ強度を得て、直接対応する着信音を取得して再生するように、ユーザは、異なる強度の着信音タイプと着信音量を設定して、未処理メッセージサービスデータベースに保存する。
【００７３】
３０２、ユーザは、初期化メッセージ強度を設定し、前記初期化メッセージ強度が着信音タイプと着信音量を含む。
【００７４】
ここで、ユーザは、最初に設定する時に着信音タイプと着信音量とを設定することができ、もちろん、ユーザが初期設定を行わなければ、初期のメッセージ強度が最も低い値であることを示し、ユーザは、自身のニーズに応じて、ある連絡先に対して特別な処理を行う時に、この連絡先のメッセージレベルを人為的に向上させることもできる。 
３０３、移動端末は、正常動作段階に入り、これは、移動端末の正常な状態である。
【００７５】
３０４、移動端末は、電話へのアクセスがあったかどうかを判断し、そうであれば、ステップ３０６を実行し、そうでなければ、ステップ３０５を実行する。
【００７６】
３０５、電話へのアクセスがなかった場合、移動端末は、依然として待機状態を維持する。
【００７７】
３０６、電話へのアクセスがあった場合、未処理メッセージサービスデータベースから関連する情報を取得して今回のメッセージ強度を算出する。
【００７８】
３０７、算出されたメッセージ強度に基づいて、未処理メッセージサービスデータベースから、当該メッセージ強度に対応する着信音タイプを取得する。
【００７９】
ここで、未処理メッセージサービスデータベースから、呼び出しの回数、毎回の呼び出しの持続時間、毎回の呼び出しの時間、初期のメッセージ強度などの情報を読み取る必要がある。
【００８０】
３０８、未処理メッセージサービスデータベースから着信音を取得した後、着信音モジュールから対応する着信音を検索して再生する。
【００８１】
３０９、着信音再生中に電話に応答するかどうかを判断し、応答しなければ、ステップ３１０を実行し、そうでなければ、ステップ３１１を実行する。
【００８２】
３１０、着信音が再生され、ユーザが電話に応答しない場合、今回の呼び出し情報を未処理メッセージサービスデータベースに書き込み、書き込まれたデータは今回の呼び出しの開始時間、持続時間などを含む。
【００８３】
３１１、ユーザが電話に応答した場合、未処理メッセージサービスデータベースに記録されている当該連絡先に対応するメッセージ記録をクリアする。
【００８４】
さらに、移動端末が正常動作している場合、ユーザは、いつでも異なる連絡先のメッセージ強度をリセットすることができる。例えば、ユーザは、突然ある連絡先のメッセージ強度を人為的に向上させて、その着信音が十分に重視されるようにする。または、未処理メッセージサービスデータベースにある連絡先のいくつかのメッセージ情報が記録された後に、メッセージ強度がすでに比較的高いレベルに上がった場合、ユーザは、この連絡先のメッセージ強度を低下させたく、連絡先のメッセージ強度をリセットすることができる。
【００８５】
上記のある連絡先のメッセージ強度をリセットすると、当該連絡先に対応する未処理メッセージサービスデータベースにおける情報を修正することを招く。具体的に、初期のメッセージ強度をリセットし、未処理メッセージサービスデータベースに記憶されている当該連絡先に対応するメッセージ記録をクリアすることを含む。 
さらに、移動端末が正常動作している時に、ユーザが、ある連絡先からの未応答着信を見つけた場合、コールバックの処理方式を取ることができる。ユーザがコールバックの処理方式を取ると、未処理メッセージサービスデータベースにおける、当該ユーザに対応するメッセージの記録をすべてクリアする必要がある。
【００８６】
上記は、本発明の好ましい実施形態に過ぎず、本発明の保護範囲を制限するものではなく、本発明の明細書及び図面の内容を利用して行われた同等の構造或いは同等のプロセス変換は、直接又は間接他の関連する技術分野に適用され、又はすべて同様に本発明の保護範囲以内に含まれる。
【図１】
2015519819.tif 000003
【図２】
2015519819.tif 000004
【図３】
2015519819.tif 000005
【国際調査報告】
2015519819.tif 000006
2015519819.tif 000007
2015519819.tif 000008
2015519819.tif 000009